(57)【要約】 【課題】  折版屋根において、積雪による軒先破損を防止すると共に、自然融雪を促進させる折版屋根用軒先融雪金具を提供する。【解決手段】軒先掛止部２と横杆（屋根連結部）３を備えて屋根軒先上面に設置される一対の縦杆部１と、縦杆部１の先部間を連結した吊下用横杆４に垂設した融雪網５とからなり、軒先への掛け止めと屋根への連結で屋根軒先上面の所定位置に固定されると共に、融雪網５が傾斜状態で設置され、軒先に至った屋根上積雪は、融雪網５上に乗り上げ、自然融雪が促進され、合わせて雪庇が発生並びに軒先破損を防止する。【選択図】図１
2015117501.tif 000002
【特許請求の範囲】
【請求項１】
軒先掛止部と屋根連結部を備えて屋根軒先上面に設置される一対の縦杆部と、下方部分が屋根峰側に傾斜して縦杆部間に架設される融雪網とからなることを特徴とする折版屋根用軒先融雪金具。
【請求項２】
縦杆部の基端間を連結した横杆を屋根連結部としてなる請求項１記載の折版屋根用軒先融雪金具。
【請求項３】
縦杆部の先部間を連結した吊下用横杆に、融雪網を回動自在に垂設してなる請求項１又は２記載の折版屋根用軒先融雪金具。
【請求項４】
融雪網が設置対称の折版屋根の谷部形状に対応する台形状としてなる請求項１乃至３記載の何れかの折版屋根用軒先融雪金具。
【発明の詳細な説明】
【技術分野】
【０００１】
本発明は、折版屋根用軒先融雪金具に関するものである。
【背景技術】
【０００２】
折版屋根の雪止め器具は、折版屋根の山部の巻ハゼ部に挟持装着される装着金具本体に、雪止め板を装着し、或いは屋根頂部を横断する雪止めアングルを装着しているものが一般的である。また特に屋根谷部の積雪に対応するために、装着金具本体から谷部に突出する雪止め部材を設け、或いは特許文献１に示されているように、折版屋根の山部を横断設置される雪止めアングルから屋根谷部に雪止板を垂設しているものである。
【０００３】
また屋根上の積雪の落下を阻止する雪止め金具以外にも、屋根上積雪の自然融雪を促進するために、網状筒体を屋根軒先近傍に設置する消雪器具も知られている（特許文献２）。
【０００４】
更に消雪機能を備える折版屋根用雪止め具としては、特許文献３に開示されているように、線材を組み合わせて全体が箱型となるようにした雪止め部材を谷部内に設置するものも知られている。
【先行技術文献】
【特許文献】
【０００５】
【特許文献１】実開平５−９２３１４号公報。
【特許文献２】特開平８−３１９７０６号公報。
【特許文献３】特開２０１３−２３８０７０号公報。
【発明の概要】
【発明が解決しようとする課題】
【０００６】
折版屋根の雪止めを実現するための器具は、前記した通り頂部より上方の積雪の滑落を防止すると共に、谷部の積雪の滑落も防止しているもので、確実な雪止めを実現するために、雪止め器具を屋根裾から峰に向かって多段に設けている。しかし軒先部分においては、積雪の重みが支えの無い片持ち支持となっている屋根軒先に加わると、軒先部分の破損を招く虞があるので、軒先より峰方向に離れた位置に設けている。このため屋根軒先部分の積雪は、そのまま滑落することになる。
【０００７】
また雪止め器具によって滑落が防止されている積雪は一つの雪塊として存在することが多く、屋根上の積雪が雪塊として働く場合には、雪止め器具を乗り越え軒先に至り、そのまま雪庇状態となり、落下の危険が生ずる。
【０００８】
特許文献２に示されている消雪器具は、軒先箇所に設置して雪止め器具を乗り越えてきた積雪塊を徐々に自然融雪を行うことで雪庇の発生を防いでいるものであるが、折版屋根においては、屋根頂部上を横断するように網状筒体を設置しても、屋根谷部に対しては効果が無い。また特許文献３開示の屋根谷部に線材で形成した雪止め部材では、雪止め部材自体を覆う積雪に対しては、自然融雪効果が期待できないし、雪止め部材の軒先設置には前記したとおり問題がある。
【０００９】
そこで本発明は、折版屋根の軒先に接して自然融雪を実現する折版屋根用軒先融雪金具を提案したものである。
【課題を解決するための手段】
【００１０】
本発明（請求項１）に係る折版屋根用軒先融雪金具は、軒先掛止部と屋根連結部を備えて屋根軒先上面に設置される一対の縦杆部と、下方部分が屋根峰側に傾斜して縦杆部間に架設される融雪網とからなることを特徴とするものである。
【００１１】
而して、金具は、軒先への掛け止めと屋根への連結で屋根軒先上面の所定位置に固定されると共に、融雪網が傾斜状態で設置されることになり、軒先に至った屋根上積雪は、融雪網上に乗り上げるが、融雪網に乗り上げた面は空気との接触で自然融雪がなされると共に、雪庇が発生するのを防止している。
【００１２】
また本発明（請求項２）に係る折版屋根用軒先融雪金具は、縦杆部の基端間を連結した横杆を屋根連結部としてなるもので、折版屋根に装着された雪止め器具の本体又は雪止めアングルに、前記横杆をワイヤー等で結着することで容易に縦杆部を屋根に連結できる。
【００１３】
また本発明（請求項３）に係る折版屋根用軒先融雪金具は、縦杆部の先部間を連結した吊下用横杆に、融雪網を回動自在に垂設してなるもので、縦杆部を折版屋根に連結するに際して、多少の設置位置がずれたとしても、網板部が回動自在であるから、網板部の底辺が屋根谷部の底面と当接して所定の傾斜面を確保できるものである。
【００１４】
また本発明（請求項４）に係る折版屋根用軒先融雪金具は、融雪網が設置対称の折版屋根の谷部形状に対応する台形状としてなるもので、融雪網が屋根谷部空間全体を塞ぐように配置されるものである。
【発明の効果】
【００１５】
本発明の構成は上記のとおりで、折版屋根の軒先箇所まで進出してきた屋根上積雪塊を傾斜状態に設置された融雪網状に乗り上げさせ、自然融雪を促進すると共に、軒先からの落雪並びに雪庇発生を防止したものである。
【図面の簡単な説明】
【００１６】
【図１】本発明の実施形態を示す全体斜視図。
【図２】同使用状態を示す参考図（正面図）。
【図３】同図（平面図）。
【図４】同図（断面図）。
【発明を実施するための形態】
【００１７】
次に本発明の実施形態について説明する。本発明の金具は、折版屋根Ａに装着されるもので、この折版屋根Ａは台形谷部（傾斜面ａ、底面ｂ）が屋根横方向に連続するもので、頂部面ｃで屋根板を例えば巻ハゼ構造等で連結しているのが一般的である。また折版屋根Ａの所定位置の巻ハゼ部ｄに雪止金具本体Ｂを挟持装着し、雪止金具本体Ｂに屋根頂部を横断する雪止めアングルＣを装着して、屋根上積雪を防止している。本発明の実施形態は、前記構成の折版屋根を前提にして以下説明する。
【００１８】
実施形態に示した折版屋根用軒先融雪金具は、屋根谷部の幅員に対応した一対の縦杆部１の各先端を鉤状屈曲して軒先掛止部２に形成すると共に、縦杆部１の基端間を横杆（屋根連結部）３で連結し、更に縦杆部１の先部間を吊下用横杆４で連結した枠体と、前記吊下用横杆４に垂設される融雪網５で構成される。
【００１９】
特に融雪網５は、台形谷部の斜め切断面の形状に対応する台形状の枠杆５１の内方に、適宜な金網５２を張設し、枠杆５１の上部両側を鉤状に形成して、前記吊下用横杆４に回動自在に垂設したものである。
【００２０】
而して前記の折版屋根用軒先融雪金具は、折版屋根Ａの軒先先端ｅに軒先掛止部２を掛け止めし、縦杆部１が頂面ｃ上に載置し、雪止めアングルＣの掛け回したワイヤーＤで横杆３を強く屋根峰側に引き寄せ結着すると、縦杆部１を含む枠体全体が軒先の上面に確りと固定される。
【００２１】
これに伴って吊下用横杆４に垂設された融雪網５は、下方が屋根峰方に位置して下縁が底面ｂに当接し、側縁が傾斜面ａに添うように位置して、融雪網５が傾斜状態で折版屋根Ａの台形谷部全体を塞ぐように設置される。
【００２２】
従って屋根上の積雪は、雪止めアングルＣやその他の谷部用雪止め具でその滑落が防止され、また雪止めアングルＣより裾側の積雪は、融雪網５で軒先からの滑落が防止される。更に滑落を防止した積雪は一つの雪塊Ｅとなって雪止めアングルＣを乗り越えて軒先に至る場合でも、当該雪塊Ｅは、傾斜状態の融雪網５に乗り上げ、融雪網５の下面側でも外気（零度以上）と接触するので自然融雪が促進されると共に、雪塊Ｅがそのまま雪庇状態となって落下する危険を防止でき、結果的には軒先破損をも防止できるものである。
【００２３】
尚本発明は前記の実施形態の他にも、例えば縦杆部１に直接巻ハゼ部ｄに装着する金具（屋根連結部）を設けるようにしても良い。更には巻ハゼ部ｄを備えていない折版屋根に対しても、適宜な屋根連結部を設ければ良いものである。
【符号の説明】
【００２４】
１      縦杆部
２      軒先掛止部
３      横杆（屋根連結部）
４      吊下用横杆
５      融雪網
５１    枠杆
５２    金網
Ａ      折版屋根
ａ      傾斜面
ｂ      底面
ｃ      頂面
ｄ      巻ハゼ部
ｅ      軒先先端
Ｂ      雪止金具本体
Ｃ      雪止めアングル
Ｄ      ワイヤー
Ｅ      雪塊
【図１】
2015117501.tif 000003
【図２】
2015117501.tif 000004
【図３】
2015117501.tif 000005
【図４】
2015117501.tif 000006